(57)【要約】【課題】外観を損なうことなく、天板の高さ位置を調整可能に構成した机を提供する。【解決手段】机１０は、天板１２及びその左右端より垂下する側板１４を有する本体１６と、側板１４に対して高さ位置を変更可能に取り付けられる脚体１８とを備え、脚体１８に対する側板１４の高さ位置を変更することで天板１２の高さ位置を調整可能に構成されている。机１０では、側板１４に脚体１８を取り付けるための脚取付部２４ａ，２４ｂを有し、脚体１８に脚取付部２４ａ，２４ｂに取り付けるために上下方向に沿って複数形成された昇降孔３４ａ〜３４ｉを有し、脚体１８を側板１４の内側へと配置し、所定の昇降孔３４ａ〜３４ｉを脚取付部２４ａ，２４ｂに取り付けることで、天板１２の高さ位置を調整する。【選択図】図１
2015006251.tif 000002
【特許請求の範囲】
【請求項１】
天板、及び該天板の左右端より垂下する側板を有する本体と、
前記側板に対して高さ位置を変更可能に取り付けられる脚体と、
を備え、前記脚体に対する前記側板の高さ位置を変更することで天板の高さ位置を調整可能な机であって、
前記側板は、前記脚体を取り付けるための脚取付部を有し、
前記脚体は、前記脚取付部に取り付けるための昇降用取付部を上下方向に沿って複数有し、
前記脚体を前記側板の内側へと配置し、所定の昇降用取付部を前記脚取付部に取り付けることで、前記天板の高さ位置を調整可能としたことを特徴とする机。
【請求項２】
請求項１記載の机において、
前記側板の前面には、該側板の内側に配置された前記脚体の前方へと延びて該脚体の前面を覆う前面カバー部材が設けられることを特徴とする机。
【請求項３】
請求項２記載の机において、
前記側板の後面には、該側板の内側に配置された前記脚体の後方へと延びて該脚体の後面を覆う後面カバー部材が設けられ、
前記側板と前記前面カバー部材と前記後面カバー部材とによって前記脚体を昇降方向にガイドすることを特徴とする机。
【発明の詳細な説明】
【技術分野】
【０００１】
本発明は、天板の高さ位置を調整可能に構成した机に関する。
【背景技術】
【０００２】
児童用の学習机では、使用する子供の成長に合わせて天板の高さ位置を調整できる構成が採用されることがあり、このような天板の昇降機能はオフィス用や会議用の机等に設けられることもある。
【０００３】
例えば、特許文献１には、左右の側板に天板を取り付けるための取付孔を形成すると共に、この取付孔を側板の上下方向に沿って複数設けておくことにより、天板を左右の側板間で所望の高さ位置に調整可能とした机が開示されている。
【０００４】
特許文献２には、天板の左右端に側板を固定しておき、側板の外側に脚板を取り付ける構成の机が開示されている。この構成では、側板に上下方向に沿って複数設けられた取付孔のうち、所望の取付孔を用いて脚板を取り付けることにより、天板の高さ位置を調整することができる。
【先行技術文献】
【特許文献】
【０００５】
【特許文献１】特開２００６−２１２１０６号公報
【特許文献２】特開２０１３−２２１２８号公報
【発明の概要】
【発明が解決しようとする課題】
【０００６】
上記特許文献１の構成では、左右の側板に天板の昇降用取付部となる取付孔が複数形成されているため、これら複数の取付孔が机の側面に常時露出し、その外観を損ねている。また、左右の側板間で天板を昇降させる構成のため、天板を低い位置に取り付けた場合には、左右の側板が天板よりも上方に大きく立脚した状態となり、外観品質を低下させるだけでなく、机自体の使い勝手を低下させる可能性もある。
【０００７】
一方、上記特許文献２の構成では、天板の昇降用取付部となる取付孔を天板の左右端から垂下させた側板に設け、その外側に脚板を配置している。このため、天板を低い位置に設定した場合には、側板の大部分が脚板によって覆われ、取付孔が目立ち難い構造と言える。ところが、天板を高い位置に取り付けた場合には、脚板に形成した取付孔が机の上部で露出し、外観上目立つことになる。
【０００８】
本発明は、上記従来技術の課題を考慮してなされたものであり、外観を損なうことなく、天板の高さ位置を調整可能に構成した机を提供することを目的とする。
【課題を解決するための手段】
【０００９】
本発明に係る机は、天板、及び該天板の左右端より垂下する側板を有する本体と、前記側板に対して高さ位置を変更可能に取り付けられる脚体とを備え、前記脚体に対する前記側板の高さ位置を変更することで天板の高さ位置を調整可能な机であって、前記側板は、前記脚体を取り付けるための脚取付部を有し、前記脚体は、前記脚取付部に取り付けるための昇降用取付部を上下方向に沿って複数有し、前記脚体を前記側板の内側へと配置し、所定の昇降用取付部を前記脚取付部に取り付けることで、前記天板の高さ位置を調整可能としたことを特徴とする。
【００１０】
このような構成によれば、側板に脚取付部を設ける一方、この側板の内側に取り付けられる脚体に天板の高さ位置を変更するための調整部となる昇降用取付部を設けている。これにより、脚体に上下方向に沿って複数設けられる昇降用取付部が側板の内側に配置され、外部への露出が最小限となると共に、その露出が机の下部に限定される。このため、机の外観を損なうことなく、天板の高さ位置を調整することができるようになる。しかも、天板を昇降させた場合にも、側板の意匠は常に一定であるため、天板の高さ位置に関わらず机の外観品質が保持される。
【００１１】
前記側板の前面には、該側板の内側に配置された前記脚体の前方へと延びて該脚体の前面を覆う前面カバー部材が設けられてもよい。そうすると、机の正面側で脚体が目立つことが防止され、机の外観品質を一層向上させることができる。また、この前面カバー部材は、脚体の位置合わせ時のガイドとしても利用できる。
【００１２】
前記側板の後面には、該側板の内側に配置された前記脚体の後方へと延びて該脚体の後面を覆う後面カバー部材が設けられ、前記側板と前記前面カバー部材と前記後面カバー部材とによって前記脚体を昇降方向にガイドする構成としてもよい。そうすると、天板の高さ位置を変更する際、脚体を側板の内面と前面カバー部材の後面と後面カバー部材の前面とによって３方からガイドしつつ、上下方向に容易に移動させることができる。このため、天板の高さ位置の調整作業が一層容易となる。
【発明の効果】
【００１３】
本発明によれば、脚体に上下方向に沿って複数設けられる昇降用取付部が側板の内側に配置され、外部への露出が最小限となると共に、その露出が机の下部に限定される。このため、机の外観を損なうことなく、天板の高さ位置を調整することができるようになる。
【図面の簡単な説明】
【００１４】
【図１】図１は、本発明の一実施形態に係る机の構成図であり、図１（Ａ）は、正面図であり、図１（Ｂ）は、右側面図である。
【図２】図２は、天板を図１に示す位置から４段下降させた位置とした右側面図である。
【図３】図３は、天板を図１に示す位置から６段下降させて最も低い位置とした右側面図である。
【図４】図４は、図１（Ａ）中のＩＶ−ＩＶ線に沿って机の一部を断面表示した右側面図である。
【図５】図５は、脚体を側板の内面に当接させる外面側から見た斜視図である。
【図６】図６は、天板の高さ位置を上から１段目とした状態を示す一部断面正面図である。
【図７】図７は、天板の高さ位置を上から４段目とした状態を示す一部断面正面図である。
【図８】図８は、天板の高さ位置を上から６段目とした状態を示す一部断面正面図である。
【発明を実施するための形態】
【００１５】
以下、本発明に係る机について好適な実施の形態を挙げ、添付の図面を参照しながら詳細に説明する。
【００１６】
図１は、本発明の一実施形態に係る机１０の構成図であって、天板１２の高さ位置を最も高い位置（上から１段目。最上段）とした状態を示しており、図１（Ａ）は、正面図であり、図１（Ｂ）は、右側面図である。図２は、天板１２を図１に示す位置から４段下降させた位置（上から４段目）とした右側面図であり、図３は、天板１２を図１に示す位置から６段下降させて最も低い位置（上から６段目。最下段）とした右側面図である。
【００１７】
図１〜図３に示すように、机１０は、天板１２を所定の高さ位置（本実施形態では６段の高さ位置）に昇降可能な天板昇降式机である。本実施形態では、机１０として、例えば、使用する子供の成長に応じて天板１２の高さ位置を調整することができる学習机を例示する。本発明は、学習机以外のもの、例えば、オフィス用の事務机や長机等、各種用途の机に対して適用可能であることは勿論である。
【００１８】
図１に示すように、机１０は、天板１２の左右端の下面から左右一対の側板１４，１４を垂下させた本体１６と、床面上に立脚され、側板１４，１４を上下方向の複数位置で固定可能な左右一対の脚体１８，１８とを備える。以下、図示しない椅子を用いて机１０に着席した利用者から見た方向で、手前側を前方、奥側を後方、横方向をそれぞれ左右方向と規定して各要素の構成及び位置関係を説明する。
【００１９】
本体１６は、天板１２の下面の左右端に矩形板状の側板１４を鉛直方向に沿って一体的に固定しており、正面視門形の構成となっている。天板１２は、所定の板厚を有する矩形の板状部材である。側板（側面パネル）１４は、天板１２の下面に対して図示しないボルト等を用いて固定され、図１（Ａ）及び図１（Ｂ）から明らかなように、平面視で天板１２の内側に完全に隠れる位置に設けられている。左右の側板１４，１４間の上部には、２個の引出し１９，２０が収納可能且つ引出可能に設けられている。本体１６の背面側には、左右の側板１４，１４間に渡る背板２２が取り付けられている。背板２２には、机１０の背面側から天板１２の上方へと延設される本棚等の拡張具２３（図１（Ｂ）中の２点鎖線参照）を取り付けるための拡張具取付孔２２ａが複数形成されている（図１（Ａ）参照）。天板１２、側板１４及び背板２２等は、例えば、木製や金属製の板材によって構成される。
【００２０】
各側板１４は、その内面側の所定位置に脚体１８が連結固定される。図１（Ｂ）、図２及び図３に示すように、各側板１４には、上下方向に沿って２個の脚取付部２４ａ，２４ｂが前後方向で一対設けられている。本実施形態の場合、脚取付部（本体側取付部）２４ａ，２４ｂは、側板１４を板厚方向（左右方向）に貫通する貫通孔である。脚取付部２４ａ，２４ｂは、側板１４にその内面側から螺入・埋設されることで、その内周面に形成された雌ねじを該側板１４の内面側に露出させたナット部材、いわゆる鬼目ナットで構成してもよい。脚取付部２４ａ，２４ｂを鬼目ナットで構成した場合には、該鬼目ナットに対し、脚体１８の内側から後述するボルト３８を締結する構造とすればよい（図６も参照）。
【００２１】
各側板１４の前面には、その内方へと延在し、脚体１８の前面を覆う帯板状の前面カバー部材２６が設けられている。同様に、各側板１４の後面にも、側板１４の内方へと延在し、脚体１８の後面を覆う帯板状の後面カバー部材２７が設けられている。これにより、側板１４は、水平方向に切断した断面形状がコの字形状となり、このコの字の内側に脚体１８が配設されることになる（図１（Ａ）、図４及び図６も参照）。換言すれば、脚体１８は、その前面と側面と後面とが、側板１４と前面カバー部材２６と後面カバー部材２７とによって昇降方向にガイドされる。なお、図示はしないが、上記した背板２２は、左右の後面カバー部材２７，２７の内面に取り付けられている。各側板１４の外面上部には、フック２８がビス止めされている。フック２８は、図示しない袋やかばん等を引っ掛けるためのものである。
【００２２】
図４は、図１（Ａ）中のＩＶ−ＩＶ線に沿って机１０の一部を断面表示した右側面図である。図５は、脚体１８を側板１４の内面に当接させる外面側から見た斜視図である。
【００２３】
脚体１８は、その外面側を側板１４の内面に当接させて固定されることにより、本体１６を床面上から上下方向で所望の位置に支持するものである（図１〜図３参照）。
【００２４】
図４及び図５に示すように、脚体１８は、木製や金属製の板材及び角材を組み合わせて矩形に構成されている。脚体１８は、前後一対の角柱状の支柱３０，３０と、前後の支柱３０，３０の内面間の上端を連結する板状の上部連結板３２と、前後の支柱３０，３０の下端面間を連結する帯板状の下部連結板３３とを備える。脚体１８では、これら支柱３０、上部連結板３２及び下部連結板３３で囲まれる内側に矩形の開口が形成されている。脚体１８は、側板１４と同様に１枚の板状部材で形成してもよい。
【００２５】
図１（Ａ）に示すように、各支柱３０は、側板１４の内面に当接配置された場合に、正面視で前面カバー部材２６の背後に完全に隠れる板厚（左右方向厚み）で形成されている。本実施形態の場合、支柱３０は、その内面が前面カバー部材２６の内側端面と略面一となる形状に設定されている。
【００２６】
各支柱３０には、上下方向に沿って複数（本実施形態では９個）の昇降孔３４ａ，３４ｂ，３４ｃ，３４ｄ，３４ｅ，３４ｆ，３４ｇ，３４ｈ，３４ｉが形成されている。本実施形態の場合、昇降孔（昇降用取付部、高さ位置調整孔）３４ａ〜３４ｉは、支柱３０を板厚方向（左右方向）に貫通する貫通孔である。昇降孔３４ａ〜３４ｉは、支柱３０にその外面側から螺入・埋設されることで、その内周面に形成された雌ねじを該支柱３０の外面側に露出させたナット部材（鬼目ナット）で構成してもよい。昇降孔３４ａ〜３４ｉを鬼目ナットで構成した場合には、該鬼目ナットに対し、側板１４の外側から後述するボルト３８を締結する構造とすればよい（図６も参照）。
【００２７】
上部連結板３２は、支柱３０と同じ板厚（左右方向厚み）で構成され、その上端面が各支柱３０の上端面と面一に設定されている。上部連結板３２の下端面は、天板１２を最上段となる位置に設定した場合に、側板１４の下端面と面一又はやや上方となるように設定されている（図１及び図４参照）。つまり、上部連結板３２は、天板１２をその昇降範囲のいずれの高さ位置に設定しても、常に側板１４の内側に隠れる形状及び取付位置に設定されている。
【００２８】
下部連結板３３は、支柱３０と同じ板厚（左右方向厚み）で構成され、その上面の前後端に各支柱３０の下端面が固定されている。脚体１８では、下部連結板３３の下面が、実際に床面上に着地する面となる。
【００２９】
次に、本実施形態に係る机１０における天板１２の昇降方法について、主に図６〜図８を参照して説明する。
【００３０】
図６〜図８は、脚体１８への側板１４の取付構造を説明するための図である。図６は、天板１２の高さ位置を上から１段目（最上段）とした状態を示す一部断面正面図であり、図７は、天板１２の高さ位置を上から４段目とした状態を示す一部断面正面図であり、図８は、天板１２の高さ位置を上から６段目（最下段）とした状態を示す一部断面正面図である。図６〜図８では、机１０の左側の脚体１８と側板１４の取付構造のみを示しているが、右側の脚体１８と側板１４の取付構造についても左右対称である以外は左側のものと同様である。
【００３１】
図６に示すように、側板１４に形成された脚取付部２４ａ，２４ｂ間の間隔（上下方向のピッチ）をピッチＰ１と称すると、脚体１８の支柱３０に形成された昇降孔３４ａ〜３４ｉは、脚取付部２４ａ，２４ｂ間と同一のピッチＰ１を上下方向で６段設定可能な配置となっている。具体的には、上から順に、昇降孔３４ａ，３４ｄ間が１段目のピッチＰ１となり、昇降孔３４ｂ，３４ｅ間が２段目のピッチＰ１となり、昇降孔３４ｃ，３４ｆ間が３段目のピッチＰ１となり、昇降孔３４ｄ，３４ｇ間が４段目のピッチＰ１となり、昇降孔３４ｆ，３４ｈ間が５段目のピッチＰ１となり、昇降孔３４ｇ，３４ｉ間が６段目のピッチＰ１となる。
【００３２】
脚取付部２４ａ，２４ｂをピッチＰ１に設定された所望の昇降孔３４ａ〜３４ｉに対応させ、ボルト３８を締結することにより、側板１４を脚体１８に対して所望の高さ位置で取り付け、これにより天板１２（本体１６）を所望の高さ位置に調整することができる。なお、図６〜図８では、ボルト３８の頭部が側板１４の外面に露出しているが、側板１４の外面の脚取付部２４ａ，２４ｂに対応する位置に図示しない座繰り穴を形成し、この座繰り穴にボルト３８の頭部を埋没させる構造としてもよい。
【００３３】
図１及び図６に示すように、例えば、天板１２を上から１段目の最上段に設定する場合には、先ず、本体１６を構成する側板１４の内面であって、前面カバー部材２６と後面カバー部材２７の間となる位置に上部連結板３２を上にして脚体１８を配置する。続いて、側板１４の脚取付部２４ａ，２４ｂをそれぞれ脚体１８の昇降孔３４ａ，３４ｄと同軸上に設定する。そして、ボルト３８を側板１４の外側から脚取付部２４ａ，２４ｂを通して昇降孔３４ａ，３４ｄを通過させ、図示しないナット等を用いて締結することにより、天板１２を最上段位置で固定することができる。
【００３４】
この状態では、図１（Ｂ）に示すように、側板１４の下方に脚体１８の一部が露出し、昇降孔３４ｆ〜３４ｉが外部に露出している。しかしながら、例えば、床面上に立っている利用者が机１０を見下ろした場合、目立ち易い机１０の上方部分には側板１４に形成された合計４個の脚取付部２４ａ，２４ｂが露出するのみであり、該側板１４の内側下方の昇降孔３４ｆ〜３４ｉは外観上目立ち難くなっている。また、この状態の脚体１８では、上部連結板３２が側板１４の内側に隠れ、前後の支柱３０，３０と下部連結板３３のみが外部に露出しており、机１０の下方部分がスマートな外観となって見栄えがよく、その意匠性を高めている。
【００３５】
図２及び図７に示すように、天板１２を上から４段目に設定する場合には、側板１４の脚取付部２４ａ，２４ｂをそれぞれ脚体１８の昇降孔３４ｄ，３４ｇと同軸上に設定する。そして、ボルト３８を側板１４の外側から脚取付部２４ａ，２４ｂを通して昇降孔３４ｄ，３４ｇを通過させてナット等で締結することにより、天板１２を上から４段目の位置で固定することができる。
【００３６】
この状態では、図２に示すように、側板１４の下方に脚体１８の一部が露出し、昇降孔３４ｈ，３４ｉが外部に露出しているが、上記した最上段位置の場合よりも昇降孔３４ｈ，３４ｉが一層目立ち難くなっている。
【００３７】
図３及び図８に示すように、天板１２を上から６段目の最下段に設定する場合には、側板１４の脚取付部２４ａ，２４ｂをそれぞれ脚体１８の昇降孔３４ｇ，３４ｉと同軸上に設定する。そして、ボルト３８を側板１４の外側から脚取付部２４ａ，２４ｂを通して昇降孔３４ｇ，３４ｉを通過させてナット等で締結することにより、天板１２を最下段位置で固定することができる。
【００３８】
この状態では、図３に示すように、側板１４の下方に脚体１８が全く露出しないため、脚体１８の各昇降孔３４ａ〜３４ｉが外部に全く露出せず、机１０の外観品質を一層高めている。
【００３９】
なお、図示はしないが、天板１２を上から２段目に設定する場合には、側板１４の脚取付部２４ａ，２４ｂをそれぞれ脚体１８の昇降孔３４ｂ，３４ｅと同軸上に設定して固定すればよい。同様に、天板１２を上から３段目に設定する場合には脚取付部２４ａ，２４ｂをそれぞれ昇降孔３４ｃ，３４ｆと同軸上に設定して固定すればよく、天板１２を上から５段目に設定する場合には脚取付部２４ａ，２４ｂをそれぞれ昇降孔３４ｆ，３４ｈと同軸上に設定して固定すればよい。
【００４０】
以上のように、本実施形態に係る机１０は、天板１２及びその左右端より垂下する側板１４を有する本体１６と、側板１４に対して高さ位置を変更可能に取り付けられる脚体１８とを備え、脚体１８に対する側板１４の高さ位置、つまり本体１６の高さ位置を変更することで天板１２の高さ位置を調整可能に構成されている。具体的には、机１０では、側板１４は、脚体１８を取り付けるための脚取付部２４ａ，２４ｂを有し、脚体１８は、脚取付部２４ａ，２４ｂに取り付けるために上下方向に沿って複数形成された昇降孔３４ａ〜３４ｉを有し、脚体１８を側板１４の内側へと配置し、所定の昇降孔３４ａ〜３４ｉを脚取付部２４ａ，２４ｂに取り付けることで、天板１２の高さ位置を調整する。
【００４１】
このように、机１０では、側板１４に脚取付部２４ａ，２４ｂを設ける一方、この側板１４の内側に取り付けられる脚体１８に天板１２の高さ位置を変更するための調整部（昇降用取付部）となる昇降孔３４ａ〜３４ｉを設けている。これにより、脚体１８に上下方向に沿って複数形成される昇降孔３４ａ〜３４ｉが側板１４の内側に配置され、外部への露出が最小限に抑えられ、その露出位置も机１０の下部に限定される。このため、机１０の外観を損なうことなく、天板１２の高さ位置を調整することができるようになる。しかも、天板１２を昇降させた場合にも、側板１４（本体１６）の意匠は常に一定であるため、天板１２の高さ位置に関わらず机１０の外観品質が保たれる。
【００４２】
なお、側板１４の外面には脚取付部２４ａ，２４ｂが露出していることになるが、この脚取付部２４ａ，２４ｂは、側板１４と脚体１８とを固定するために必要な最小限の設置数でよいため、机１０の外観品質に及ぼす影響は少ない。また、図１（Ｂ）及び図６に示すように、例えば、天板１２を最上段位置に設定した場合には、脚体１８の一部の昇降孔３４ｆ〜３４ｉが外部に露出するが、外部に露出する昇降孔３４ｆ〜３４ｉの数は最小限となり、さらに脚体１８は側板１４の内側且つ下方となる位置に配置されているため、これら昇降孔３４ｆ〜３４ｉが外観上目立つことはほとんどない。
【００４３】
机１０では、天板１２と側板１４とが固定されて本体１６を構成しているため、天板１２の高さ位置に関わらず天板１２と側板１４との位置関係が変化せず、机１０の意匠性のみならず、その使い勝手が低下することもない。しかも、フック２８及び拡張具２３についても、天板１２の昇降と一体的に昇降し、天板１２との位置関係が保たれるため、その使い勝手が維持される。
【００４４】
机１０では、側板１４の前面に、該側板１４の内側に配置される脚体１８の前方へと延びて該脚体１８の前面を覆う前面カバー部材２６を設けている。これにより、図１（Ａ）に示すように、机１０の正面側で脚体１８が目立つことが防止され、机１０の外観品質を一層向上させることができる。この前面カバー部材２６は、脚体１８の位置合わせ時のガイドにもなる。
【００４５】
さらに、机１０では、側板１４の後面に、該側板１４の内側に配置される脚体１８の後方へと延びて該脚体１８の後面を覆う後面カバー部材２７が設けられ、側板１４と前面カバー部材２６と後面カバー部材２７とによって脚体１８を昇降方向にガイドすることができる。これにより、天板１２の高さ位置を変更する際、脚体１８を側板１４の内面と前面カバー部材２６の後面と後面カバー部材２７の前面とによって３方からガイドしつつ、上下方向に容易に移動させることができる。このため、天板１２の高さ位置の調整作業が一層容易となる。
【００４６】
なお、本発明は、上記した実施形態に限定されるものではなく、本発明の主旨を逸脱しない範囲で自由に変更できることは勿論である。
【符号の説明】
【００４７】
１０  机
１２  天板
１４  側板
１６  本体
１８  脚体
２２  背板
２２ａ  拡張具取付孔
２３  拡張具
２４ａ，２４ｂ  脚取付部
２６  前面カバー部材
２７  後面カバー部材
２８  フック
３０  支柱
３２  上部連結板
３３  下部連結板
３４ａ〜３４ｉ  昇降孔
３８  ボルト
【図１】
2015006251.tif 000003
【図２】
2015006251.tif 000004
【図３】
2015006251.tif 000005
【図４】
2015006251.tif 000006
【図５】
2015006251.tif 000007
【図６】
2015006251.tif 000008
【図７】
2015006251.tif 000009
【図８】
2015006251.tif 000010